(57)【要約】【課題】利用者のシャッタ操作によらずに静止画像または動画像を撮影する場合に、利用者が必要とする手元や足元の情報を最適な露出状態または焦点状態で画像に記録することができるようにする。【解決手段】撮像装置の装着方向から、撮像素子の撮像エリア中の上部エリアおよび下部エリアを検出する。上部エリアの光量および下部エリアの光量から、上方から強い光が差し込むと判断されるときには、下部エリアのみを自動露出の測光対象エリアとする下部重点モードの自動露出制御、および下部エリアのみを自動焦点の合焦対象エリアとする下部重点モードの自動焦点制御を実行する。【選択図】図５
2009290629.tif 000002
【特許請求の範囲】
【請求項１】
撮像光学系と、
撮像素子と、
利用者のシャッタ操作によらずに静止画像または動画像を撮影するように、上記撮像光学系および上記撮像素子を制御するシステム制御手段と、
上記撮像素子の撮像エリア中の、画像下部に対応する下部エリアのみを自動露出の測光対象エリアとする下部重点モードの自動露出制御を実行する自動露出制御手段と、
を備える撮像装置。
【請求項２】
請求項１の撮像装置において、
さらに、当該撮像装置の装着方向を検出する手段を備え、
上記自動露出制御手段は、上記装着方向検出手段の検出結果から、上記下部エリアを判定する撮像装置。
【請求項３】
請求項１の撮像装置において、
さらに、光源の状態を検出する手段を備え、
上記自動露出制御手段は、上記光源状態検出手段によって、上記撮像エリア中の画像上部に対応する上部エリアの光量が上記下部エリアの光量より所定値以上大きいとされたときにのみ、上記下部重点モードの自動露出制御を実行する撮像装置。
【請求項４】
請求項１の撮像装置において、
さらに、上記下部エリアのみを自動焦点の合焦対象エリアとする下部重点モードの自動焦点制御を実行する自動焦点制御手段を備える撮像装置。
【請求項５】
撮像光学系と、
撮像素子と、
利用者のシャッタ操作によらずに静止画像または動画像を撮影するように、上記撮像光学系および上記撮像素子を制御するシステム制御手段と、
上記撮像素子の撮像エリア中の、画像下部に対応する下部エリアのみを自動焦点の合焦対象エリアとする下部重点モードの自動焦点制御を実行する自動焦点制御手段と、
を備える撮像装置。
【請求項６】
請求項５の撮像装置において、
さらに、当該撮像装置の装着方向を検出する手段を備え、
上記自動焦点制御手段は、上記装着方向検出手段の検出結果から、上記下部エリアを判定する撮像装置。
【請求項７】
請求項５の撮像装置において、
さらに、光源の状態を検出する手段を備え、
上記自動焦点制御手段は、上記光源状態検出手段によって、上記撮像エリア中の画像上部に対応する上部エリアの光量が上記下部エリアの光量より所定値以上大きいとされたときにのみ、上記下部重点モードの自動焦点制御を実行する撮像装置。
【請求項８】
利用者のシャッタ操作によらずに撮像装置が静止画像または動画像を撮影する方法として、当該撮像装置が備える撮像素子の撮像エリア中の、画像下部に対応する下部エリアのみを自動露出の測光対象エリアとする下部重点モードの自動露出制御を実行する撮像方法。
【請求項９】
請求項８の撮像方法において、
さらに、上記下部エリアのみを自動焦点の合焦対象エリアとする下部重点モードの自動焦点制御を実行する撮像方法。
【請求項１０】
利用者のシャッタ操作によらずに撮像装置が静止画像または動画像を撮影する方法として、当該撮像装置が備える撮像素子の撮像エリア中の、画像下部に対応する下部エリアのみを自動焦点の合焦対象エリアとする下部重点モードの自動焦点制御を実行する撮像方法。
【発明の詳細な説明】
【技術分野】
【０００１】
この発明は、デジタルカメラなどの撮像装置に関する。また、この発明は、利用者のシャッタ操作によらずに静止画像または動画像を撮影する場合の自動露出制御または自動焦点制御の方法に関する。
【背景技術】
【０００２】
デジタルカメラの自動露出（ＡＥ）では、利用者が構図や状況に合わせて、マルチパターン測光、中央部重点測光、スポット測光などの方法を適宜切り替えることによって、適切な露出となるようにしている。
【０００３】
マルチパターン測光は、撮像素子の撮像エリア（撮像面）をいくつかのエリアに分割し、各エリアの測光結果を解析して、適切な露出を算出する方法である。中央部重点測光は、撮像エリアの中央部を重点的に測光して、適切な露出を算出する方法である。スポット測光は、撮像エリアの中央部の一部分のみを測光して、適切な露出を算出する方法である。
【０００４】
自動焦点（ＡＦ）でも、同様に利用者が、マルチポイントＡＦ、中央部重点ＡＦ、スポットＡＦなどの方法を適宜切り替えることによって、ピントを合わせている。
【０００５】
一方、ライフログカメラなどとして知られているように、利用者のシャッタ操作によらずに一定のインターバルで自動的に画像を撮影する方法が考えられている。
【０００６】
特許文献１（特開２００７−１５０９９３号公報）には、ライフログカメラで、重要なイベントについては、密な記録を効率的に行うことができるようにすることが示されている。
【０００７】
なお、特許文献２（特開２００７−０７６４０４号公報）には、車両に搭載された撮像装置で得られた、事故発生時などの状況を示す画像データを、移動体通信網を介してネットワーク上のストレージに送信することが示されている。
【０００８】
上に挙げた先行技術文献は、以下の通りである。
【特許文献１】特開２００７−１５０９９３号公報
【特許文献２】特開２００７−０７６４０４号公報
【発明の開示】
【発明が解決しようとする課題】
【０００９】
しかし、ライフログカメラなどのように、利用者が撮像装置を装着して、シャッタ操作によらずに撮像装置に画像を撮影させる場合には、上述したように自動露出制御および自動焦点制御の方法を切り替えることはできない。
【００１０】
この場合には、自動露出についても、自動焦点についても、あらかじめ設定された制御方法に固定される。
【００１１】
そのため、この場合、自動露出については、利用者の移動に伴う状況変化によって、露出オーバーまたは露出アンダーの状態が生じ、撮影された画像から必要な情報が得られないことが多い。
【００１２】
同様に、自動焦点については、いわゆるピンボケの状態が生じ、撮影された画像から必要な情報が得られないことが多い。
【００１３】
図５〜図８に、このことを示す。図５および図６は、撮像素子の多数の画素からなる撮像エリア（撮像面）が横長となり、撮影される画像も横長となるように、撮像装置（カメラ）を装着し、画像を撮影する場合である。破線のライン１ｃは、画像１を画像上部１Ａと画像下部１Ｂとに二分する位置を示す。
【００１４】
図７および図８は、撮像エリアが縦長となり、撮影される画像も縦長となるように、撮像装置を装着し、画像を撮影する場合である。破線のライン１ｃは、画像１を画像上部１Ａと画像下部１Ｂとに二分する位置を示す。
【００１５】
ライフログカメラで画像を撮影する場合、利用者が興味を引くオブジェクトなど、利用者が必要とする情報は、利用者の手元や足元に存在して、撮像素子の撮像エリア中の下部エリアに撮像され、画像下部１Ｂに出現することが多い。
【００１６】
すなわち、図５および図７では、利用者が興味を引くオブジェクトが、利用者の手の上に載っている動物であり、図６および図８では、利用者が興味を引くオブジェクトが、利用者の足元にいる動物である。
【００１７】
このとき、太陽光や照明光などの強い光が、撮像エリア中の上部エリアに撮像され、画像上部１Ａに出現することが多い。
【００１８】
そのため、撮像エリア中の上部エリアに露出が合ってしまった場合には、撮影された画像１において、画像下部１Ｂ、すなわち利用者の手元や足元の部分が、露出アンダーとなって、利用者が必要とする情報が得られなくなる。
【００１９】
自動焦点についても、撮像エリア中の上部エリアに合焦してしまった場合には、撮影された画像１において、画像下部１Ｂ、すなわち利用者の手元や足元の部分が、ピンボケとなって、利用者が必要とする情報が得られなくなる。
【００２０】
そこで、この発明は、利用者のシャッタ操作によらずに静止画像または動画像を撮影する場合に、利用者が必要とする手元や足元の情報を最適な露出状態または焦点状態で画像に記録することができるようにしたものである。
【課題を解決するための手段】
【００２１】
第１の発明の撮像装置は、自動露出に係るもので、
撮像光学系と、
撮像素子と、
利用者のシャッタ操作によらずに静止画像または動画像を撮影するように、上記撮像光学系および上記撮像素子を制御するシステム制御手段と、
上記撮像素子の撮像エリア中の、画像下部に対応する下部エリアのみを自動露出の測光対象エリアとする下部重点モードの自動露出制御を実行する自動露出制御手段と、
を備えるものである。
【００２２】
第２の発明の撮像装置は、自動焦点に係るもので、
撮像光学系と、
撮像素子と、
利用者のシャッタ操作によらずに静止画像または動画像を撮影するように、上記撮像光学系および上記撮像素子を制御するシステム制御手段と、
上記撮像素子の撮像エリア中の、画像下部に対応する下部エリアのみを自動焦点の合焦対象エリアとする下部重点モードの自動焦点制御を実行する自動焦点制御手段と、
を備えるものである。
【発明の効果】
【００２３】
第１の発明の撮像装置では、利用者のシャッタ操作によらない画像撮影時、撮像エリア中の画像下部に対応する下部エリアのみを測光対象エリアとして、自動露出制御が実行されるので、利用者の手元や足元の部分が露出アンダーまたは露出オーバーとなってしまって、利用者が必要とする情報が得られなくなるようなことがない。
【００２４】
第２の発明の撮像装置では、利用者のシャッタ操作によらない画像撮影時、撮像エリア中の画像下部に対応する下部エリアのみを合焦対象エリアとして、自動焦点制御が実行されるので、利用者の手元や足元の部分がピンボケとなってしまって、利用者が必要とする情報が得られなくなるようなことがない。
【００２５】
以上のように、この発明によれば、利用者のシャッタ操作によらずに静止画像または動画像を撮影する場合に、利用者が必要とする手元や足元の情報を最適な露出状態または焦点状態で画像に記録することができる。
【発明を実施するための最良の形態】
【００２６】
［１．第１の実施形態］
第１の実施形態として、自動撮影（利用者のシャッタ操作によらない撮影）と手動撮影（利用者のシャッタ操作による撮影）とのいずれでも静止画像を撮影することができる場合を示す。
【００２７】
さらに、第１の実施形態は、自動撮影時、自動露出と自動焦点の双方につき、この発明の方法を実行する場合である。
【００２８】
（１−１．撮像装置の構成：図１および図２）
図１に、この発明の撮像装置の一例の接続構成を示す。
【００２９】
この例の撮像装置１０は、バス１１に、撮像光学系２１、撮像素子２３、信号処理部２７、システム制御部１３、記録再生処理部１５、記憶装置部１７、モニタ表示部１９、自動露出制御部３１、自動焦点制御部３５、および光源状態検出部３９が接続される。システム制御部１３には、操作部４１および装着方向検出部５１が接続される。
【００３０】
撮像光学系２１は、レンズを含む各種の光学部品、および各種の機構部品によって構成され、被写体からの光を撮像素子２３に取り込む。
【００３１】
撮像素子２３は、ＣＣＤ（Ｃｈａｒｇｅ  Ｃｏｕｐｌｅｄ  Ｄｅｖｉｃｅ）撮像素子やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）撮像素子などの固体撮像素子である。撮像素子２３からは、撮影された画像のデジタル画像データが出力される。
【００３２】
信号処理部２７は、この撮像素子２３の出力の画像データに対して、各種の補正や調整のための処理を実行する。
【００３３】
システム制御部１３は、ＣＰＵ、このＣＰＵが実行すべき各種のプログラムや必要な固定データなどが格納されたＲＯＭ、およびプログラムやデータが展開されるＲＡＭなどによって構成され、撮像光学系２１や撮像素子２３など、撮像装置１０の各部を制御する。
【００３４】
記録再生処理部１５は、撮影時には、信号処理部２７で処理された後の画像データを圧縮符号化して記憶装置部１７に記録し、再生時には、記憶装置部１７から画像データを読み出して伸長復号する。
【００３５】
記憶装置部１７は、フラッシュメモリやハードディスクなどの不揮発性記憶媒体によって構成される。
【００３６】
モニタ表示部１９は、撮影される画像、および撮影された画像を、液晶ディスプレイや有機ＥＬディスプレイなどのディスプレイ上に表示するものである。
【００３７】
自動露出制御部３１は、後述のように、下部重点モードの自動露出制御、または通常モードの自動露出制御を実行するものである。
【００３８】
自動焦点制御部３５は、後述のように、下部重点モードの自動焦点制御、または通常モードの自動焦点制御を実行するものである。
【００３９】
光源状態検出部３９は、自動撮影時、上方から強い光が差し込むか否かを検出するものである。上方から強い光が差し込むか否かは、指向性を有する光センサにより外光を検出することによって検出することもできるが、この例は、後述のように撮像素子２３での測光の結果から検出する場合である。
【００４０】
操作部４１は、この例では、利用者が自動撮影と手動撮影とのいずれかを選択し、手動撮影の場合にはシャッタ操作などの操作を行うものである。
【００４１】
装着方向検出部５１は、自動撮影時、重力の方向との関係で撮像装置１０の装着方向を検出するものである。システム制御部１３は、この装着方向検出部５１の検出結果から、撮像素子２３の撮像エリア中の上部エリアおよび下部エリアを判定する。
【００４２】
図２に、撮像装置１０の外観構成の一例を示す。ただし、図２は、撮像装置１０を背面側から見た図である。
【００４３】
撮像装置１０は、正面側に撮像光学系２１を備え、背面にモニタ表示部１９および操作部４３を備え、上面にシャッタ４５を備える。操作部４３およびシャッタ４５は、図１に示した操作部４１を構成する。
【００４４】
操作部４３は、撮影モードや撮影画質などを設定し、再生する画像などを選択するものである。自動撮影か手動撮影かも、この操作部４３で設定する。シャッタ４５は、自動撮影時には操作しない。
【００４５】
撮像素子２３は、撮像光学系２１の、正面側から見て奥の位置に設けられる。撮像エリア（撮像面）２５は、撮像素子２３のうちの、それぞれ被写体からの光を電荷に変換する多数の画素が配列形成された部分である。
【００４６】
（１−２．手動撮影の方法：図３および図４）
撮像装置１０で、自動撮影ではなく、シャッタ操作によって画像を撮影する場合には、利用者は、図３に示すように撮像エリア２５が横長となるように、または図４に示すように撮像エリア２５が縦長となるように、撮像装置１０を構え、シャッタ４５を押す。
【００４７】
この場合、利用者は、自動露出につき、上述したマルチパターン測光、中央部重点測光、スポット測光などの方法を適宜切り替えて、適切な露出となるようにすることができる。また、自動焦点につき、マルチポイントＡＦ、中央部重点ＡＦ、スポットＡＦなどの方法を適宜切り替えて、ピントを合わせることができる。
【００４８】
手動撮影時、自動露出制御部３１は、通常モードの自動露出制御として、利用者によって選択された方法で自動露出制御を実行し、自動焦点制御部３５は、通常モードの自動焦点制御として、利用者によって選択された方法で自動焦点制御を実行する。
【００４９】
通常モードの自動露出制御は、図３に示す下部エリア２５ｂまたは図４に示す下部エリア２５ｄのような、撮像エリア２５中の下部エリアのみを自動露出の測光対象エリアとする下部重点モードの自動露出制御ではなく、従来一般に用いられている自動露出制御である。
【００５０】
上記の中央部重点測光、またはスポット測光も、撮像エリア２５全体の中央部、または撮像エリア２５全体の中央部の一部分という意味で、通常モードの自動露出制御である。
【００５１】
通常モードの自動焦点制御は、同様に、撮像エリア２５中の下部エリアのみを自動焦点の合焦対象エリアとする下部重点モードの自動焦点制御ではなく、従来一般に用いられている自動焦点制御である。
【００５２】
上記の中央部重点ＡＦ、またはスポットＡＦも、撮像エリア２５全体の中央部、または撮像エリア２５全体の中央部の一部分という意味で、通常モードの自動焦点制御である。
【００５３】
（１−３．自動撮影の方法：図３〜図１０）
＜１−３−１．撮像装置の装着方向と撮影される画像＞
第１の実施形態では、自動撮影時、利用者は、撮像装置１０が重力の方向に対して、図３に示すような方向、または図４に示すような方向となるように、撮像装置１０を装着する。
【００５４】
図１０（Ａ）は、首掛け型の場合で、撮像装置１０が収納された機器７０を首に掛けて自動撮影を行う場合である。この場合は、例えば、撮像装置１０は重力の方向に対して図４に示すような方向となる。
【００５５】
図１０（Ｂ）は、メガネ型の場合で、撮像装置１０が取り付けられた器具８０を耳に装着して自動撮影を行う場合である。この場合は、例えば、撮像装置１０は重力の方向に対して図３に示すような方向となる。
【００５６】
図１の例の撮像装置１０では、撮像装置１０が重力の方向に対して、図３に示すような方向に装着されているか、図４に示すような方向に装着されているかは、上記の装着方向検出部５１で検出される。
【００５７】
システム制御部１３は、撮像装置１０が重力の方向に対して図３に示すような方向に装着されている場合には、撮像素子２３の撮像エリア２５中のエリア２５ａを上部エリア、エリア２５ｂを下部エリアと判定する。
【００５８】
また、システム制御部１３は、撮像装置１０が重力の方向に対して図４に示すような方向に装着されている場合には、撮像素子２３の撮像エリア２５中のエリア２５ｃを上部エリア、エリア２５ｄを下部エリアと判定する。
【００５９】
撮像装置１０が重力の方向に対して図３に示すような方向に装着されている場合には、例えば、図５または図６に示すような画像が撮影される。
【００６０】
図５は、利用者が必要とする情報が、利用者の手元に存在して、図３に示す下部エリア２５ｂに撮像され、画像下部１Ｂに現れる場合である。図６は、利用者が必要とする情報が、利用者の足元に存在して、図３に示す下部エリア２５ｂに撮像され、画像下部１Ｂに現れる場合である。
【００６１】
撮像装置１０が重力の方向に対して図４に示すような方向に装着されている場合には、例えば、図７または図８に示すような画像が撮影される。
【００６２】
図７は、利用者が必要とする情報が、利用者の手元に存在して、図４に示す下部エリア２５ｄに撮像され、画像下部１Ｂに現れる場合である。図８は、利用者が必要とする情報が、利用者の足元に存在して、図４に示す下部エリア２５ｄに撮像され、画像下部１Ｂに現れる場合である。
【００６３】
＜１−３−２．自動撮影時の自動露出および自動焦点＞
図９に、自動撮影時に撮像装置１０のシステム制御部１３などが実行する一連の処理の一例を示す。
【００６４】
この例では、システム制御部１３は、まずステップ６１で、タイマーをリセットして、経過時間ｔをゼロから計測し始め、次にステップ６２で、経過時間ｔが時間Ｔに達したか否かを判断する。時間Ｔは、あらかじめ利用者が設定できるようにする。
【００６５】
そして、経過時間ｔが時間Ｔに達したときには、ステップ６２からステップ６３に進んで、撮像装置１０の装着方向を検出する。上記の例では、撮像装置１０が重力の方向に対して、図３に示すような方向に装着されているか、図４に示すような方向に装着されているかを検出する。
【００６６】
次に、ステップ６４で、被写体からの光を撮像素子２３に取り込み、撮像素子２３での撮像結果から、撮像素子２３の撮像エリア２５中の、ステップ６３での検出結果から判断される上部エリアおよび下部エリアの光量を測定する。
【００６７】
上部エリアおよび下部エリアの光量は、それぞれ上部エリアおよび下部エリアの全画素の光量（電荷量）の総和として検出することができるが、それぞれ上部エリアおよび下部エリアの十分な数のサンプル画素の光量の和として検出することもできる。
【００６８】
次に、ステップ６５で、ステップ６４での測定結果から、上部エリアの光量が下部エリアの光量より所定値以上大きいか否かを判断する。所定値というのは、所定の光量または比率である。
【００６９】
上方から強い光が差し込むと、上部エリアの光量が下部エリアの光量に比べて、ある程度以上大きくなる。そして、上部エリアの光量が下部エリアの光量に比べて、ある程度以上大きいと、上部エリアの光量に基づいて自動露出補正されたとき、下部エリアに撮像される情報が失われてしまう可能性が高い。
【００７０】
そのため、上部エリアの光量が下部エリアの光量より所定値以上大きい場合には、ステップ６５からステップ６６に進んで、自動露出制御部３１によって、下部重点モードの自動露出制御を実行し、自動焦点制御部３５によって、下部重点モードの自動焦点制御を実行する。
【００７１】
下部重点モードの自動露出制御は、撮像エリア中の下部エリアのみを自動露出の測光対象エリアとするものである。ただし、下部エリアのみを測光対象エリアとすることは、上部エリアは測光対象エリアとしないことであって、必ずしも下部エリア全体を測光対象エリアとするものではない。
【００７２】
具体的に、下部重点モードの自動露出制御の方法としては、通常モードの自動露出制御に準じて、マルチパターン測光、中央部重点測光、スポット測光などの方法を用いることができる。
【００７３】
ただし、この場合のマルチパターン測光は、撮像エリア全体をいくつかのエリアに分割するのではなく、撮像エリア中の下部エリアをいくつかのエリアに分割し、各エリアの測光結果を解析して、適切な露出を算出する方法である。
【００７４】
また、この場合の中央部重点測光は、撮像エリアの中央部ではなく、撮像エリア中の下部エリアの中央部を重点的に測光して、適切な露出を算出する方法である。
【００７５】
さらに、この場合のスポット測光も、撮像エリアの中央部の一部分ではなく、撮像エリア中の下部エリアの中央部の一部分のみを測光して、適切な露出を算出する方法である。
【００７６】
下部重点モードの自動焦点制御は、撮像エリア中の下部エリアのみを自動焦点の合焦対象エリアとするものである。ただし、下部エリアのみを合焦対象エリアとすることは、上部エリアは合焦対象エリアとしないことであって、必ずしも下部エリア全体を合焦対象エリアとするものではない。
【００７７】
具体的に、下部重点モードの自動焦点制御の方法としては、通常モードの自動焦点制御に準じて、マルチポイントＡＦ、中央部重点ＡＦ、スポットＡＦなどの方法を用いることができる。
【００７８】
ただし、この場合のマルチポイントＡＦは、撮像エリア全体のいくつかのポイントではなく、撮像エリア中の下部エリアのいくつかのポイントでピントを合わせる方法である。
【００７９】
また、この場合の中央部重点ＡＦは、撮像エリアの中央部ではなく、撮像エリア中の下部エリアの中央部で重点的にピントを合わせる方法である。
【００８０】
さらに、この場合のスポットＡＦも、撮像エリアの中央部の一部分ではなく、撮像エリア中の下部エリアの中央部の一部分のみでピントを合わせる方法である。
【００８１】
一方、上部エリアの光量が下部エリアの光量より小さい場合、または、上部エリアの光量が下部エリアの光量以上ではあるが、下部エリアの光量より所定値以上大きくない場合には、ステップ６５からステップ６７に進んで、自動露出制御部３１によって、通常モードの自動露出制御を実行し、自動焦点制御部３５によって、通常モードの自動焦点制御を実行する。
【００８２】
ステップ６６で下部重点モードの自動露出制御および自動焦点制御を実行し、またはステップ６７で通常モードの自動露出制御および自動焦点制御を実行した後、ステップ６８で、画像を撮影し、撮影された画像のデータを記憶装置部１７に記録する。
【００８３】
次に、ステップ６９で、自動撮影を終了するか否かを判断し、利用者の終了操作などによって自動撮影を終了するときには、自動露出制御および自動焦点制御の処理も終了するが、そうでなければ、ステップ６９からステップ６１に戻って、以上の処理を繰り返す。
【００８４】
［２．他の例および実施形態］
（２−１．光源状態の検出）
上記の例は、光源状態検出部３９で、撮像素子２３での測光の結果から、上方から強い光が差し込むか否かを検出する場合であるが、上述したように指向性を有する光センサにより外光を検出することによって、上方から強い光が差し込むか否かを検出するようにしてもよい。
【００８５】
（２−２．装着方向の検出）
上記の例は、自動撮影時の撮像装置１０の装着方向を２通りに変えることができる場合であり、そのために装着方向検出部５１で撮像装置１０の装着方向を検出する場合であるが、自動撮影時の撮像装置の装着方向が一定方向とされる場合には、装着方向の検出手段は必要がない。
【００８６】
（２−３．自動露出制御と自動焦点制御）
撮像装置の使用形態などによる必要性などに応じて、自動露出制御のみにつき下部重点モードの制御を行って、自動焦点制御は常に通常モードの制御を行い、または逆に、自動焦点制御のみにつき下部重点モードの制御を行って、自動露出制御は常に通常モードの制御を行うようにしてもよい。
【００８７】
（２−４．その他）
上記の実施形態は、撮像装置１０が自動撮影と手動撮影とのいずれでも画像を撮影できる場合であるが、撮像装置が自動撮影に専用のものでもよい。
【００８８】
また、撮像装置は、ライフログカメラのように利用者が身に装着することによって、或るインターバルで自動的に画像を撮影するものに限らず、車両などに装備することによって、或るインターバルで自動的に画像を撮影するものでもよい。
【００８９】
さらに、この発明は、或るインターバルで静止画像を撮影する場合に限らず、一連の画像を動画像として連続的に撮影する場合にも適用することができる。
【図面の簡単な説明】
【００９０】
【図１】この発明の撮像装置の一例の接続構成を示す図である。
【図２】この発明の撮像装置の一例の外観構成を示す図である。
【図３】撮像装置の装着方向の一例を示す図である。
【図４】撮像装置の装着方向の他の例を示す図である。
【図５】自動撮影時に撮影される画像の例を示す図である。
【図６】自動撮影時に撮影される画像の例を示す図である。
【図７】自動撮影時に撮影される画像の例を示す図である。
【図８】自動撮影時に撮影される画像の例を示す図である。
【図９】自動撮影時の制御処理の一例を示す図である。
【図１０】自動撮影時の撮像装置の装着方法の例を示す図である。
【符号の説明】
【００９１】
主要部については図中に記述したので、ここでは省略する。
【図１】
2009290629.tif 000003
【図２】
2009290629.tif 000004
【図３】
2009290629.tif 000005
【図４】
2009290629.tif 000006
【図９】
2009290629.tif 000007
【図１０】
2009290629.tif 000008
【図５】
2009290629.tif 000009
【図６】
2009290629.tif 000010
【図７】
2009290629.tif 000011
【図８】
2009290629.tif 000012